(57)【特許請求の範囲】
【請求項１】
空気の流入口及び吹出口を開口して送風機を内装する筐体と、前記流入口を覆って前記筐体に着脱可能に取り付けられるとともに空気の吸込口を複数開口するカバー部材と、前記カバー部材の内面に配して虫を捕獲する捕虫部とを備えた送風装置において、
前記捕虫部は基材シートの一面に粘着剤を配した複数の捕虫シートが剥離剤を介して積層されることを特徴とする送風装置。
【請求項２】
前記捕虫シートが分割して剥離可能な切込みを有することを特徴とする請求項１に記載の送風装置。
【請求項３】
前記吸込口と前記流入口との間の捕虫空間に虫を誘引する光を出射する第１誘引光源を備え、
複数の前記吸込口が上下に並設されるとともに前記吸込口の上方に第１誘引光源を配置し、第１誘引光源の出射光を前記吸込口に向けて拡散反射する反射部を設けたことを特徴とする請求項１または請求項２に記載の送風装置。
【請求項４】
前記カバー部材の外側に配されて虫を誘引する光を出射する第２誘引光源を備え、第１誘引光源を点灯させるタイミングと第２誘引光源を点灯させるタイミングとが異なることを特徴とする請求項３に記載の送風装置。
【請求項５】
前記カバー部材の内側に向けて突出した環状のリブを前記吸込口の周縁に設け、前記送風機を駆動した際に前記カバー部材の内面の前記吸込口間に前記リブによって渦を形成することを特徴とする請求項１〜請求項４のいずれかに記載の送風装置。
【請求項６】
前記吸込口を通過する虫を検知する検知センサと、前記吸込口を開閉する開閉板とを備えるとともに、
所定の回転数で前記送風機を駆動する第１送風モードと、前記開閉板により前記吸込口の開口面積を第１送風モードよりも小さくして前記送風機を第１送風モードよりも大きい回転数で駆動する第２送風モードとを設け、
第１送風モードの実行中に前記検知センサにより所定時間内に検知した虫の数が所定値を超えたときに第２送風モードに切り換えることを特徴とする請求項１〜請求項５のいずれかに記載の送風装置。
【発明の詳細な説明】
【技術分野】
【０００１】
本発明は虫を捕獲する捕虫部を備えた送風装置に関する。
【背景技術】
【０００２】
特許文献１には従来の送風装置が開示されている。この送風装置は空気の流入口及び吹出口をそれぞれ背面及び上面に開口した筐体を有する。筐体は室内の床面等に設置され、送風機を内装する。流入口には空気中の塵埃を捕集するフィルタが配される。筐体の背面側には流入口を覆うカバー部材が筐体に対して着脱可能に取り付けられる。カバー部材は空気の吸込口を複数開口している。
【０００３】
上記構成の送風装置において、運転が開始されると、送風機が駆動されて吸込口から空気が吸い込まれる。吸込口から吸い込まれた空気は流入口に流入し、フィルタにより塵埃が捕集された後に吹出口から外部へ送出される。これにより、室内の空気を清浄することができる。また、筐体からカバー部材を取り外してフィルタを交換することができる。
【０００４】
上記特許文献１の送風装置によれば、空気中の塵埃を捕集するため、塵埃等による健康被害を低減することができる。また、近年の健康志向の高まりから、蚊等の虫を介した感染症等を低減するために捕虫機能を有する送風装置の要望が高くなっている。
【０００５】
特許文献２に記載の捕虫装置は、前面を扉により開閉して側面に開口部を開口した筐体と、筐体内に虫を誘引する誘引光を出射する誘引光源と、扉の背面に配されて虫を捕獲する粘着性の捕虫シートとを備えている。
【０００６】
上記構成の捕虫装置において、扉を閉じて誘引光源を点灯すると、側面の開口部を介して誘引光が筐体の外部に向けて出射される。虫は側面の開口部を介して筐体内に進入し、捕虫シートにより捕虫される。そして、虫が所定量付着した使用済の捕虫シートを扉から取り外し、未使用の捕虫シートを扉の所定位置に取り付ける。これにより、捕虫シートを交換することができる。
【先行技術文献】
【特許文献】
【０００７】
【特許文献１】特開２００９−６６４６６号公報（第８頁、第９頁、第１図、第２図）
【特許文献２】特開２００６−２３０２５８号公報（第５頁、第６頁、第１図、第２図、第４図）
【発明の概要】
【発明が解決しようとする課題】
【０００８】
しかしながら、上記特許文献２の捕虫装置によると、使用済の捕虫シートを取り外して交換するため手間がかかり、利便性が悪い問題があった。
【０００９】
本発明は、利便性を向上できる送風装置を提供することを目的とする。
【課題を解決するための手段】
【００１０】
上記目的を達成するために本発明は、空気の流入口及び吹出口を開口して送風機を内装する筐体と、前記流入口を覆って前記筐体に着脱可能に取り付けられるとともに空気の吸込口を複数開口するカバー部材と、前記カバー部材の内面に配して虫を捕獲する捕虫部とを備えた送風装置において、
前記捕虫部は基材シートの一面に粘着剤を配した複数の捕虫シートが剥離剤を介して積層されることを特徴としている。
【００１１】
この構成によると、送風機の駆動により吸込口から空気が吸い込まれ、吹出口から空気が送出される。吸込口を介してカバー部材の内側に進入した虫は捕虫部により捕獲される。筐体からカバー部材を取り外し、虫が付着した使用済の捕虫シートを剥がすと未使用の捕虫シートが露出する。
【００１２】
また本発明は、上記構成の送風装置において、前記捕虫シートが分割して剥離可能な切込みを有すると好ましい。
【００１３】
また本発明は、上記構成の送風装置において、前記捕虫部が上下方向を入れ替え可能に前記カバー部材に取り付けられると好ましい。
【００１４】
また本発明は、上記構成の送風装置において、前記粘着剤が水溶性であると好ましい。
【００１５】
また本発明は、上記構成の送風装置において、虫を誘引する臭気物質を発生するニオイ発生部を前記吸込口と前記流入口との間の捕虫空間に配すると好ましい。
【００１６】
また本発明は、上記構成の送風装置において、前記ニオイ発生部が前記捕虫シートに前記臭気物質を設けて形成されると好ましい。
【００１７】
また本発明は、上記構成の送風装置において、前記吸込口と前記流入口との間の捕虫空間に虫を誘引する光を出射する第１誘引光源を備え、複数の前記吸込口が上下に並設されるとともに前記吸込口の上方に第１誘引光源を配置し、第１誘引光源の出射光を前記吸込口に向けて拡散反射する反射部を設けると好ましい。
【００１８】
また本発明は、上記構成の送風装置において、前記カバー部材の外側に配されて虫を誘引する光を出射する第２誘引光源を備え、第１誘引光源を点灯させるタイミングと第２誘引光源を点灯させるタイミングとが異なると好ましい。
【００１９】
また本発明は、上記構成の送風装置において、第１誘引光源を前記カバー部材の内面に取り付けると好ましい。
【００２０】
また本発明は、上記構成の送風装置において、前記カバー部材の内側に向けて突出した環状のリブを前記吸込口の周縁に設け、前記送風機を駆動した際に前記カバー部材の内面の前記吸込口間に前記リブによって渦を形成すると好ましい。
【００２１】
また本発明は、上記構成の送風装置において、前記吸込口を通過する虫を検知する検知センサと、前記吸込口を開閉する開閉板とを備えるとともに、所定の回転数で前記送風機を駆動する第１送風モードと、前記開閉板により前記吸込口の開口面積を第１送風モードよりも小さくして前記送風機を第１送風モードよりも大きい回転数で駆動する第２送風モードとを設け、第１送風モードの実行中に前記検知センサにより所定時間内に検知した虫の数が所定値を超えたときに第２送風モードに切り換えると好ましい。
【００２２】
また本発明は、上記構成の送風装置において、前記捕虫空間に殺虫剤を噴霧する噴霧部を設け、第２送風モード時に前記噴霧部により殺虫剤を噴霧すると好ましい。
【発明の効果】
【００２３】
本発明によると、空気の吸込口を複数開口するカバー部材の内面に虫を捕獲する捕虫部を設け、捕虫部は基材シートの一面に粘着剤を配した複数の捕虫シートが剥離剤を介して積層される。これにより、虫が付着した使用済の捕虫シートを剥がすと未使用の捕虫シートが露出する。したがって、捕虫シートの交換の手間を省き、送風装置の利便性を向上させることができる。
【図面の簡単な説明】
【００２４】
【図１】本発明の第１実施形態の送風装置を示す斜視図
【図２】本発明の第１実施形態の送風装置を示す側面断面図
【図３】本発明の第１実施形態の送風装置を示す背面断面図
【図４】本発明の第１実施形態の送風装置のカバー部材を示す斜視図
【図５】本発明の第１実施形態の送風装置のカバー部材の吸込口を通る縦断面図
【図６】本発明の第１実施形態の送風装置の捕虫部を示す側面図
【図７】本発明の第１実施形態の送風装置の捕虫部の捕虫シートを剥離した状態を示す側面図
【図８】本発明の第１実施形態の送風装置の構成を示すブロック図
【図９】本発明の第１実施形態の送風装置の誘引光源を駆動する駆動回路を示す回路図
【図１０】本発明の第１実施形態の送風装置の誘引光源の点灯動作を示すフローチャート
【図１１】本発明の第２実施形態の送風装置の捕虫部を示す正面図
【図１２】本発明の第３実施形態の送風装置のカバー部材を示す斜視図
【図１３】本発明の第３実施形態の送風装置のカバー部材の開閉板を示す正面図
【図１４】本発明の第３実施形態の送風装置の構成を示すブロック図
【図１５】本発明の第３実施形態の送風装置の送風動作を示すフローチャート
【発明を実施するための形態】
【００２５】
＜第１実施形態＞
以下に本発明の実施形態を図面を参照して説明する。図１及び図２は第１実施形態の送風装置のそれぞれ斜視図及び側面断面図を示している。なお、図１及び図２において白抜きの矢印は空気の流れを示している。送風装置１は居室内の床面等に設置されて水平断面形状が略楕円形の筐体２を有している。筐体２の背面側には着脱可能なカバー部材３が取り付けられ、カバー部材３の内面には詳細を後述する捕虫部５０が配される。
【００２６】
筐体２の上面の周縁部には透明な樹脂から成るスリーブ部１２が設けられる。筐体２の上面前部には操作部６が設けられる。操作部６は複数のボタン（不図示）を有し、使用者の操作によって送風装置１の動作設定を行う。各ボタンの操作によって送風装置１の駆動オンオフ、後述する送風機１０の風量の変更、後述するイオン発生装置１１のオンオフ等を指示することができる。
【００２７】
筐体の背面及び上面にはそれぞれ流入口２０及び吹出口５が開口している。吹出口５の中央部には上方に向かって突出する突出板１３が設けられる。カバー部材３には複数の吸込口４が開口し、カバー部材３と筐体２の背面との間には吸込口４と流入口２０とを連通させる捕虫空間２５が形成される。
【００２８】
筐体２内には流入口２０と吹出口５とを連結する送風通路７が設けられる。送風通路７内には流入口２０から吹出口５に向かって（気流の上流から下流に向かって）順にプレフィルタ８、ＨＥＰＡフィルタ９、送風機１０及びイオン発生装置１１が設けられる。
【００２９】
送風機１０はモータ１０ａにより駆動されるシロッコファンにより形成され、軸方向に吸気して周方向に排気する。プレフィルタ８はＡＢＳ等の合成樹脂で形成された複数段複数列の窓を有する矩形の枠８ａにポリプロピレン製のメッシュ８ｂを溶着して形成される。メッシュ８ｂの目の大きさは蚊やハエ等の虫が通過できない大きさに形成される。プレフィルタ８によって空気中の大きな塵埃を捕集することができる。
【００３０】
ＨＥＰＡフィルタ９は濾材９ａを覆うように枠材９ｂがホットメルトにより溶着されている。ＨＥＰＡフィルタ９によって、所定粒径（例えば３μｍ）よりも小さい粒径のＰＭ２．５等の微小粒子状物質を含む空気中の微細な塵埃を捕集することができる。
【００３１】
なお、活性炭等の吸着材を有する脱臭フィルタをプレフィルタ８とＨＥＰＡフィルタ９との間に配置してもよい。これにより、空気中の臭気成分を吸着して空気を脱臭することができる。
【００３２】
イオン発生装置１１は高圧電圧の印加によりイオンを発生する電極（不図示）を有し、電極は送風通路７内に面している。電極には交流波形またはインパルス波形から成る電圧が印加される。電極の印加電圧が正電圧の場合は主としてＨ+（Ｈ2Ｏ）ｍから成るプラスイオンを発生し、負電圧の場合は主としてＯ2-（Ｈ2Ｏ）ｎから成るマイナスイオンを発生する。ここで、ｍ、ｎは整数である。Ｈ+（Ｈ2Ｏ）ｍ及びＯ2-（Ｈ2Ｏ）ｎは空気中の浮遊菌や臭気成分の表面で凝集してこれらを取り囲む。
【００３３】
そして、式（１）〜（３）に示すように、衝突により活性種である［・ＯＨ］（水酸基ラジカル）やＨ2Ｏ2（過酸化水素）を微生物等の表面上で凝集生成して浮遊菌等を破壊する。ここで、ｍ’、ｎ’は整数である。したがって、プラスイオン及びマイナスイオンを発生して吹出口５から送出することにより居室内の除菌及び臭い除去を行うことができる。
【００３４】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３５】
また、プラスイオン及びマイナスイオンが使用者の肌に接触すると、肌に水酸基（ＯＨ基）が付着して肌表面が親水化される。これにより、肌表面に水分子が付着しやすくなり、肌に潤いを与えることができる。
【００３６】
図３は送風装置１の筐体２の上部の背面断面図を示している。筐体２の背面上部には流入口２０に対して外側（カバー部材３側）に突出した突出部２８が設けられる。突出部２８は左右方向に延びて形成され、突出部２８の下面の左右方向の中央部には凹部２８ａが凹設される。
【００３７】
凹部２８ａ内の左右端部にはそれぞれ出射面（不図示）が斜め下方を向くように誘引光源２１が配される。これにより、誘引光源２１はカバー部材３の吸込口４の上方に配置される。誘引光源２１は、蚊等の虫を誘引する約３６５ｎｍの紫外線を出射する紫外線発光ダイオードＬＤ１（図９参照）を有する。
【００３８】
凹部２８ａの左右方向の中央部には両面に反射面６１ａが形成された板状の反射部６１が垂設される。反射面６１ａはシボ加工され、誘引光源２１の出射面から出射された光Ｐ１は反射面６１ａで拡散反射する。反射面６１ａで拡散反射した光Ｐ２は吸込口４に向かう。これにより、使用者が誘引光源２１を直視することを防止することができる。なお、誘引光源２１及び反射部６１を筐体２に替えてカバー部材３の内面に設けてもよく、筐体２及びカバー部材３に設けてもよい。
【００３９】
図４はカバー部材３を内側（筐体２側）から見た斜視図を示している。なお、図中の右側の最上段の吸込口４にのみ後述のリブ３１を図示し、他の吸込口４についてはリブ３１の図示を省略している。カバー部材３は筐体２に設けられた係合孔（不図示）に係合する係合片（不図示）を有する。これにより、カバー部材３は筐体２に対して着脱可能に取り付けられる。カバー部材３は後方に凸になるように湾曲し、左右の両端部にはそれぞれ複数（本実施形態では５個）の吸込口４が上下に並設される。
【００４０】
図５はカバー部材３の吸込口４を通る位置における縦断面図を示している。図中、カバー部材３に対して右方及び左方はそれぞれカバー部材３の外側及び内側を示している。吸込口４の周縁にはカバー部材３の内側（筐体２側）に向けて突出した環状のリブ３１が配される。送風機１０を駆動した際に吸込口４から空気が矢印Ｓのように捕虫空間２５に流入すると、カバー部材３の内面の吸込口４間にリブ３１によって渦Ｖが形成される。
【００４１】
図４において、カバー部材３の外面の上部に設けられた凹部３５（図２参照）には虫を誘引する光を出射する誘引光源２２が配置される。誘引光源２２は誘引光源２１と同様に紫外線発光ダイオードＬＤ１（図９参照）を有し、誘引光源２２から出射された光は反射板（不図示）で拡散反射された後に開口部３５ａ（図２参照）を介して送風装置１の外部に向かう。これにより、使用者が誘引光源２２を直視することを防止できる。
【００４２】
図６は捕虫部５０の側面図を示している。捕虫部５０は基材シート５２の一面に粘着剤５３を配した複数の捕虫シート５１がシリコン等の剥離剤（不図示）を介して積層され、取付板５５上に貼着されている。基材シート５２は例えば紙や樹脂フィルム等により形成される。粘着剤５３に特に限定はないが、例えばアクリル系の粘着剤等を用いることができる。
【００４３】
図７は捕虫部５０の捕虫シート５１を剥離した状態の側面図を示している。捕虫シート５１は剥離剤を介して積層されるため、粘着剤５３に虫が付着した使用済の捕虫シート５１が剥離される。これにより、未使用の捕虫シート５１が露出する。
【００４４】
図４に示すように、取付板５５の四隅には係合孔５５ａが設けられる。カバー部材３の内面の上部には筐体２に向かって突出する左右一対の鉤状の係合片（不図示）が設けられる。カバー部材３の内面の下部には取付板５５を挿入する溝（不図示）を有した正面視Ｌ字状の左右一対の支持部５５ｂが設けられる。
【００４５】
取付板５５の係合孔５５ａをカバー部材３の係合片に係合させ、取付板５５の下端部の左右端部を支持部５５ｂに載置することにより、捕虫部５０はカバー部材３の内面に着脱可能に取り付けられる。また、係合孔５５ａが上下に設けられるため、捕虫部５０の上下方向を入れ替えて取り付けることができる。これにより、捕虫シート５１の全面を有効に利用することができ、無駄を省くことができる。
【００４６】
また、図４に示すように、カバー部材３の内面には虫を誘引する臭気物質を発生するニオイ発生部７０が設けられる。臭気物質に特に限定はないが、例えば乳酸を挙げることができる。乳酸により蚊を容易に誘引することができる。なお、ニオイ発生部７０の設置場所は捕虫空間２５内であれば、カバー部材３の内面に限定されず筐体２の背面に設けてもよい。
【００４７】
なお、捕虫シート５１の基材シート５２に臭気物質を含有してニオイ発生部を形成してもよい。また、基材シート５２上に粘着剤５３と臭気物質とを千鳥模様や縞模様になるように隣接して塗布し、ニオイ発生部を形成してもよい。また、捕虫シート５１の粘着剤５３に臭気物質を含有してニオイ発生部を形成してもよい。すなわち、捕虫シート５１に臭気物質を設けてニオイ発生部を形成してもよい。また、取付板５５に臭気物質を塗布してニオイ発生部を形成してもよい。
【００４８】
図８は送風装置１の構成を示すブロック図である。送風装置１は各部を制御する制御部１００を有している。制御部１００には記憶部１５、操作部６、送風機１０、イオン発生装置１１、誘引光源２１、２２が接続される。記憶部１５は送風装置１の制御プログラムを格納するとともに、制御部１００による演算結果等を記憶する。また、カバー部材３を筐体２に取り付けると、筐体２側からコネクタ２１ｆ、２１ｇ（図９参照）を介して誘引光源２２に電力が供給される。
【００４９】
図９は誘引光源２１の駆動回路を示す回路図である。なお、誘引光源２２の駆動回路も誘引光源２１の駆動回路と同様に構成される。誘引光源２１の駆動回路は電源回路（不図示）に接続される端子２１ａ、２１ｂを有している。端子２１ａは＋５Ｖが入力され、端子２１ｂは接地電位に維持してグランド線９０ａが接続される。端子２１ａ、２１ｂ間にはカバー部材３側のコネクタ２１ｆ、筐体２側のコネクタ２１ｇ及びスイッチＳＷ１を介して紫外線発光ダイオードＬＤ１が接続され、紫外線発光ダイオードＬＤ１と並列に抵抗Ｒ３を介してトランジスタＱ２が接続される。トランジスタＱ２のコレクタと抵抗Ｒ３との間には端子２１ｃが接続される。端子２１ｃには駆動回路を監視するモニター回路（不図示）が接続される。
【００５０】
紫外線発光ダイオードＬＤ１のアノードには抵抗Ｒ１、Ｒ２の一端が接続される。抵抗Ｒ１の他端は端子２１ａとトランジスタＱ２のエミッタとの間に接続され、抵抗Ｒ２の他端はトランジスタＱ２のベースに接続される。紫外線発光ダイオードＬＤ１のカソードはトランジスタＱ１のコレクタに接続される。トランジスタＱ１のベースは抵抗Ｒ４の一端に接続され、抵抗Ｒ４の他端は端子２１ｄに接続される。端子２１ｄには駆動回路を制御する駆動制御回路（不図示）が接続される。
【００５１】
トランジスタＱ１のエミッタはコネクタ２１ｇとダイオードＤ１のカソードとの間に接続される。ダイオードＤ１のアノードは抵抗Ｒ５の一端と抵抗Ｒ６の一端との間に接続される。抵抗Ｒ５の他端及び抵抗Ｒ６の他端はそれぞれコネクタ２１ｇ及び端子２１ｅに接続される。端子２１ｅにはカバー部材３の開閉を検知する検知回路（不図示）が接続される。
【００５２】
また、トランジスタＱ１のエミッタ側及びダイオードＤ１のカソード側にはガードリングＧＲが設けられる。ガードリングＧＲはコネクタ２１ｇとダイオードＤ１のカソードとを連結する導線Ｌ１と、導線Ｌ１とトランジスタＱ１のエミッタとを連結する導線Ｌ２とを囲む。ガードリングＧＲは例えば銅箔から成り、導線Ｌ１、Ｌ２の電位と同じ電位に形成される。これにより、駆動回路の誤動作を防止することができる。
【００５３】
カバー部材３を筐体２に取り付けた状態で電源回路を介して端子２１ａ、２１ｂ間にＤＣ５Ｖの電圧が印加されると、紫外線発光ダイオードＬＤ１から紫外線が出射される。この時、カバー部材３が筐体２から取り外されると、コネクタ２１ｆとコネクタ２１ｇとが離れるため、紫外線発光ダイオードＬＤ１への通電が停止される。これにより、紫外線の直視による健康被害を低減することができる。
【００５４】
カバー部材３を筐体２に取り付けた状態で送風装置１を駆動させて電源回路を介して端子２１ａ、２１ｂ間にＤＣ５Ｖの電圧を印加した際に、紫外線発光ダイオードＬＤ１に異常がなければ、トランジスタＱ１、Ｑ２はオン状態となる。これにより、端子２１ｃに入力される異常検出信号がハイレベルとなる。
【００５５】
一方、紫外線発光ダイオードＬＤ１に異常が発生して例えば開放状態や短絡状態になると、トランジスタＱ２のベースに十分なバイアス電圧が供給されず、トランジスタＱ２はオフ状態になる。これにより、端子２１ｃに入力される異常検出信号がローレベルに変化して紫外線発光ダイオードＬＤ１の異常が検知される。すなわち、端子２１ｃに接続されたモニター回路で紫外線発光ダイオードＬＤ１の動作状態を監視することができる。
【００５６】
そして、紫外線発光ダイオードＬＤ１の異常が検知されると、駆動制御回路により紫外線発光ダイオードＬＤ１への通電を停止するとともに制御部１００により送風機１０やイオン発生装置１１の駆動を停止させる。これにより、送風装置１の安全性を向上させることができる。なお、この時、ブザー音等により警告を行ってもよい。
【００５７】
図１０は誘引光源２１、２２の点灯動作を示すフローチャートである。上記構成の送風装置１において、操作部６の操作により送風装置１の運転が指示されると、送風機１０が駆動されるとともに誘引光源２１、２２の点灯動作が開始される。ステップ＃１１では外側の誘引光源２２が点灯される。ステップ＃１２では所定時間（例えば３０分間）が経過するまで待機する。所定時間が経過すると、ステップ＃１３に移行して誘引光源２２が消灯される。
【００５８】
ステップ＃１４では内側の誘引光源２１が点灯される。ステップ＃１５では所定時間が経過するまで待機する。所定時間が経過するとステップ＃１６に移行して誘引光源２１が消灯される。ステップ＃１６の後はステップ＃１１に戻り、ステップ＃１１〜ステップ＃１６が繰り返される。
【００５９】
この時、誘引光源２２の出射光は反射板で拡散反射した後に送風装置１の外部へ向かう。また、誘引光源２１の出射光は反射面６１ａにより吸込口４に向けて拡散反射する。これにより、使用者が誘引光源２１、２２を直視することを防止して、誘引光源２１、２２の紫外線による使用者の健康に対する影響を低減することができる。また、誘引光源２１、２２を所定時間ごとに交互に点灯させるため、送風装置１から遠く離れた虫を誘引光源２２により送風装置１に誘引した後、誘引光源２１により捕虫空間２５内に容易に誘導することができる。
【００６０】
送風機１０の駆動により、吸込口４を介して居室内の空気が捕虫空間２５内に流入する。この時、捕虫空間２５に進入した虫は環状のリブ３１によってカバー部材３の内面の吸込口４間に形成された渦Ｖ（図５参照）に巻き込まれる。これにより、捕虫空間２５からの虫の脱出を防止することができる。捕虫空間２５内の虫は捕虫部５０で捕獲される。
【００６１】
捕虫空間２５に流入した空気は筐体２の流入口２０から送風通路７に流入する。この時、プレフィルタ８により空気中の大きな塵埃が捕集される。また、ＨＥＰＡフィルタ９によりＰＭ２．５等を含む空気中の微細な塵埃が捕集される。送風機１０の排気側の送風通路７内を流通する空気にはイオン発生装置１１で発生したイオンが含まれる。塵埃が捕集されてイオンを含む空気は吹出口５から送出される。これにより、居室内の空気を清浄することができる。
【００６２】
送風装置１の使用により、捕虫部５０の露出している捕虫シート５１の粘着剤５３には虫が付着する。この時、使用者がカバー部材３を筐体２から取り外し、虫が付着した使用済の捕虫シート５１を剥がすと未使用の捕虫シート５１が露出する。したがって、捕虫シート５１の交換の手間を省き、送風装置１の利便性を向上させることができる。
【００６３】
本実施形態によると、吸込口４を複数開口するカバー部材３の内面に配された捕虫部５０は基材シート５２の一面に粘着剤５３を配した複数の捕虫シート５１が剥離剤を介して積層される。これにより、虫が付着した使用済の捕虫シート５１を剥がすと未使用の捕虫シート５１が露出する。したがって、送風装置１の利便性を向上させることができる。
【００６４】
また、複数の吸込口４が上下に並設されるとともに吸込口４の上方に誘引光源２１を配置し、誘引光源２１の出射光を吸込口４に向けて拡散反射する反射部６１を設けている。これにより、捕虫空間２５に虫を容易に誘引することができる。また、使用者が誘引光源２１を直視することを防止し、誘引光源２１の紫外線による使用者の健康に対する影響を低減することができる。
【００６５】
なお、誘引光源２１を筐体２に替えてカバー部材３の内面に取り付けてもよい。これにより、虫を捕虫部５０に誘引してより確実に捕虫部５０で捕獲することができる。また、誘引光源２１を筐体２及びカバー部材３の両方に取り付けてもよい。
【００６６】
また、誘引光源２１を点灯させるタイミングと誘引光源２２を点灯させるタイミングが異なっているため、送風装置１から遠く離れた虫を誘引光源２２により送風装置１に誘引した後に、誘引光源２１により捕虫空間２５内に容易に誘導することができる。なお、誘引光源２１を点灯させるタイミングと誘引光源２２を点灯させるタイミングとを同じにしてもよい。
【００６７】
また、カバー部材３の内側に向けて突出した環状のリブ３１を吸込口４の周縁に設け、送風機１０を駆動した際にカバー部材３の内面の吸込口４間にリブ３１によって渦Ｖを形成する。これにより、虫が渦Ｖに巻き込まれ、捕虫空間２５からの虫の脱出を防止することができる。
【００６８】
なお、吸込口４に例えば格子状のグリルを設けてもよい。これにより、吸込口４内にもグリルの下流に渦を発生させることができ、虫の捕虫空間２５からの脱出を一層容易に防止することができる。
【００６９】
また、カバー部材３の内面には虫を誘引する臭気物質を発生するニオイ発生部７０が設けられる。これにより、虫を捕虫空間２５に一層容易に誘引することができる。また、送風装置１の駆動を停止させた際でもニオイ発生部７０により虫を捕虫空間２５に誘引することができる。
【００７０】
＜第２実施形態＞
次に、本発明の第２実施形態について説明する。図１１は第２実施形態の送風装置の捕虫部の正面図を示している。説明の便宜上、前述の図１〜図１０に示した第１実施形態と同様の部分には同一の符号を付している。本実施形態では、捕虫部５０の構成が第１実施形態とは異なっている。その他の部分は第１実施形態と同様である。
【００７１】
捕虫部５０の捕虫シート５１は分割して剥離可能な線状の切込み５４を有する。切込み５４は捕虫シート５１の左右方向の中央で上端から下端に渡って延びて形成されるとともに、上下方向の中央で左端から右端に渡って延びて形成される。これにより、切込み５４によって捕虫シート５１は同一形状の矩形で面積が略等しい領域Ａ１〜Ａ４に四分割可能に形成される。
【００７２】
例えば領域Ａ２〜Ａ４よりも領域Ａ１に虫が多く付着している場合には、切込み５４に沿って領域Ａ１の捕虫シート５１のみを剥がし、領域Ａ１にのみ未使用の捕虫シート５１を露出させることができる。これにより、捕虫シート５１の無駄を省き、コストを削減することができる。
【００７３】
また、領域Ａ１〜Ａ４は同一形状で面積が略等しいため、例えば領域Ａ１の捕虫シート５１の交換頻度が領域Ａ２〜Ａ４の捕虫シート５１の交換頻度よりも高い場合には、例えば領域Ａ３の捕虫シート５１を切込み５４に沿って領域Ａ３から剥がして領域Ａ１に貼着することができる。これにより、捕虫シート５１の無駄を省き、コストを削減することができる。
【００７４】
なお、本実施形態では切込み５４により捕虫シート５１を四分割できるように構成しているが、例えば二分割や六分割できるように構成してもよい。また、領域Ａ１〜Ａ４の形状及び面積が異なるように捕虫シート５１に切込み５４を形成してもよい。
【００７５】
本実施形態でも第１実施形態と同様の効果を得ることができる。また、捕虫シート５１は分割して剥離可能な切込み５４を有するため、捕虫シート５１の無駄を省いてコストを削減することができる。
【００７６】
＜第３実施形態＞
次に、本発明の第３実施形態について説明する。図１２は本実施形態の送風装置のカバー部材の斜視図を示し、図１３はカバー部材の開閉板の正面図を示している。なお、図１３では、カバー部材３を内側から見た図を示している。説明の便宜上、前述の図１〜図１０に示した第１実施形態と同様の部分には同一の符号を付している。本実施形態では検知センサ４０、開閉板１４及び噴霧部６０を設けている点で第１実施形態とは異なっている。その他の部分は第１実施形態と同様である。
【００７７】
各吸込口４には吸込口４を開閉する開閉板１４がそれぞれ設けられる。開閉板１４は平板から成り、開閉板１４の一端部に設けられた回動軸部１４ａにより左右方向に回動可能に支持される。回動軸部１４ａには開閉板モータ１６（図１４参照）が連結され、開閉板モータ１６の駆動により開閉板１４は開閉される。なお、開閉板１４は上下方向に回動可能に支持されてもよい。また、開閉板１４をスライド移動させて吸込口４を開閉してもよい。
【００７８】
各吸込口４の近傍には検知センサ４０が設けられる。検知センサ４０は発光素子４１及び受光素子４２を有する光学センサにより構成され、発光素子４１及び受光素子４２は吸込口４を挟むように配置される。蚊やハエ等の虫が吸込口４を通過すると発光素子４１の出射光が遮られ、受光素子４２の出力に基づいて吸込口４を通過する虫を検知する。
【００７９】
カバー部材３の内側の上部には噴霧部６０が設けられる。噴霧部６０は殺虫剤が充填されたタンク（不図示）を有し、捕虫空間２５（図２参照）内に殺虫剤を噴霧する。なお、噴霧部６０は捕虫空間２５内に殺虫剤を噴霧できればよいので、噴霧部６０をカバー部材３に替えて筐体２に設けてもよい。
【００８０】
図１４は送風装置１の構成を示すブロック図である。制御部１００には記憶部１５、操作部６、送風機１０、イオン発生装置１１、誘引光源２１、２２、検知センサ４０、開閉板モータ１６及び噴霧部６０が接続され、制御部１００により各部が制御される。記憶部１５は送風装置１の制御プログラムを格納するとともに、制御部１００による演算結果や検知センサ４０等の検知結果を記憶する。また、カバー部材３を筐体２に取り付けると、筐体２側からコネクタ２１ｆ、２１ｇ（図９参照）を介して誘引光源２２、検知センサ４０、開閉板モータ１６及び噴霧部６０に電力が供給される。
【００８１】
図１５は送風装置１の送風動作を示すフローチャートである。操作部６の操作により送風装置１の運転が指示されると、同図の送風動作と、前述の図１０に示す誘引光源２１、２２の点灯動作とが並行して行われる。
【００８２】
ステップ＃２１では検知センサ４０が駆動される。ステップ＃２２では、検知センサ４０によってカウントされた虫の数をリセットする。ステップ＃２３では全ての開閉板１４を開いて吸込口４を開放する。ステップ＃２４では所定時間（例えば４時間）内に吸込口４を通過した虫の数Ｎが所定の上限値Ｎｓ（例えば５０匹）を超えたか否かが判断される。
【００８３】
虫の数Ｎが上限値Ｎｓを超えた場合にはステップ＃２５に移行し、超えていない場合にはステップ＃３０に移行する。ステップ＃３０では送風機１０が例えば１５００ｒｐｍの回転数で駆動される。ステップ＃３１ではイオン発生装置１１が例えば印加電圧が２ｋＶ、放電回数が５０回／秒の条件で駆動される。これにより、第１送風モードが実行され、吸込口４を介して居室内の空気が捕虫空間２５内に流入する。ステップ＃３１の後はステップ＃２４に戻る。
【００８４】
ステップ＃２５では半数の開閉板１４により吸込口４を閉じる。例えば開閉板１４により左側の吸込口４を全て閉塞するとともに右側の吸込口４を全て開放する。ステップ＃２６では送風機１０が例えば３０００ｒｐｍの回転数で駆動される。ステップ＃２７ではイオン発生装置１１が例えば印加電圧が２ｋＶ、放電回数が１００回／秒の条件で駆動される。これにより、第２送風モードが実行される。すなわち、第２送風モードでは吸込口４の開口面積は第１送風モード時よりも小さく、送風機１０の回転数は第１送風モード時よりも大きくなっている。
【００８５】
これにより、第２送風モードでは吸込口４を介した吸引力を第１送風モードよりも大きくし、捕虫空間２５内の虫の外部への脱出を容易に防止することができる。したがって、虫を捕虫部５０で確実に捕獲することができる。
【００８６】
また、ステップ＃２４のＹＥＳの場合には、居室内に虫が多い可能性が高い。本実施形態によれば、第２送風モード時には第１送風モード時よりも居室内にイオンが多く送出される。これにより、居室内に虫が多い場合に、虫によって居室内に運搬された細菌等を除菌することができるとともに虫由来のアレルゲンを不活化することができる。
【００８７】
ステップ＃２８では噴霧部６０から捕虫空間２５内に向けて殺虫剤が噴霧される。これにより、捕虫空間２５内で飛翔する虫を殺虫することができる。
【００８８】
なお、第２送風モードにおいて、送風機１０を所定時間駆動させた後に所定時間（例えば５分間）停止させるとともに開閉板１４を全て閉じ、噴霧部６０から殺虫剤を噴霧してもよい。これにより、捕虫空間２５内に殺虫剤を充満させて殺虫効果を一層向上させることができる。
【００８９】
ステップ＃２９では所定時間（例えば３０分間）が経過するまで待機する。所定時間が経過するとステップ＃２２に戻り、ステップ＃２２〜ステップ＃３１が繰り返される。
【００９０】
なお、誘引光源２２の近傍にも検知センサ４０を配置し、図１０のステップ＃１２において所定時間の経過を判断するのではなく、誘引光源２２の近傍を通過した虫の数が所定の上限値を超えたか否かを判断し、超えた場合にステップ＃１３に移行するようにしてもよい。
【００９１】
本実施形態によると、第１実施形態と同様の効果を得ることができる。また、第１送風モードの実行中に検知センサ４０により所定時間内に検知した虫の数Ｎが所定の上限値Ｎｓを超えたときに第２送風モードに切り換える。これにより、吸込口４を介した吸引力を第１送風モードよりも大きくし、捕虫空間２５内の虫の外部への脱出を容易に防止することができる。したがって、虫を捕虫部５０でより確実に捕獲することができる。
【００９２】
また、第２送風モード時に噴霧部６０により捕虫空間２５内に殺虫剤を噴霧するため、捕虫空間２５内で飛翔する虫を容易に駆除することができる。なお、第１送風モード時に噴霧部６０により殺虫剤を噴霧してもよい。
【００９３】
なお、本実施形態において、第２実施形態と同様の切込み５４を捕虫シート５１に形成してもよい。また、本実施形態と同様の噴霧部６０を第１実施形態の送風装置１に設けてもよい。
【００９４】
＜第４実施形態＞
次に、本発明の第４実施形態について説明する。本実施形態では第３実施形態の噴霧部６０に替えて、揮発性の殺虫剤を含浸したフェルト等の不織布を捕虫空間２５内に配置している点で第３実施形態とは異なっている。その他の部分は第３実施形態と同様である。
【００９５】
第２送風モードにおいて、送風機１０を所定時間駆動させた後に所定時間（例えば５分間）停止させるとともに開閉板１４を全て閉じることにより、捕虫空間２５内に不織布から気化した殺虫剤を充満させることができる。これにより、捕虫空間２５内の虫を容易に駆除することができる。また、噴霧部６０を省くことができるため、送風装置１の複雑化を回避して製造コストの増大を抑制することができる。
【００９６】
なお、本実施形態において、殺虫剤を含浸したフェルト等の不織布に替えて、揮発性の殺虫剤を含浸したペレットを開口部を有する容器に収納し、捕虫空間２５内に該容器を配置してもよい。これにより、開口部の大きさを調整して殺虫剤を捕虫空間２５内に徐放させることができる。
【００９７】
また、第１実施形態〜第４実施形態において、捕虫シート５１の粘着剤５３が水溶性であってもよい。水溶性の粘着剤の材質としては例えばデキストリン、ポリビニルアルコール、ポリビニルピロリドン、デンプンやアラビアゴム等を挙げることができる。これにより、カバー部材３を筐体２から取り外し、虫や塵埃等が付着した粘着剤５３の表面を水等で洗い流すことができる。したがって、捕虫シート５１の交換頻度を少なくすることができる。
【００９８】
また、第１実施形態〜第４実施形態において、送風装置１から誘引光源２１、２２を省いてもよい。また、第１実施形態〜第４実施形態において、ＨＥＰＡフィルタ９及びイオン発生装置１１を備えた送風装置１を例に説明したが、ＨＥＰＡフィルタ９及びイオン発生装置１１を省いて吹出口５から空気を吹き出して室内の空気を循環させるサーキュレータに捕虫部５０を設けてもよい。
【産業上の利用可能性】
【００９９】
本発明は虫を捕獲する捕虫部を備えた送風装置に利用することができる。
【符号の説明】
【０１００】
１    送風装置
２    筐体
３    カバー部材
４    吸込口
５    吹出口
６    操作部
７    送風通路
８    プレフィルタ
９    ＨＥＰＡフィルタ
１０    送風機
１１    イオン発生装置
１２    スリーブ部
１４    開閉板
２０    流入口
２１、２２    誘引光源
３１    リブ
３２    桟部
５０    捕虫部
５１    捕虫シート
５２    基材シート
５３    粘着剤
５４    切込み
５５    取付板
６０    噴霧部
６１    反射部
６１ａ  反射面
【図１】
0006510312.tif 000002
【図２】
0006510312.tif 000003
【図３】
0006510312.tif 000004
【図４】
0006510312.tif 000005
【図５】
0006510312.tif 000006
【図６】
0006510312.tif 000007
【図７】
0006510312.tif 000008
【図８】
0006510312.tif 000009
【図９】
0006510312.tif 000010
【図１０】
0006510312.tif 000011
【図１１】
0006510312.tif 000012
【図１２】
0006510312.tif 000013
【図１３】
0006510312.tif 000014
【図１４】
0006510312.tif 000015
【図１５】
0006510312.tif 000016